Podtech/llm-jp-corpus-v4-ja_patent huggingface dataset:
【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
識別情報を保持した情報保持媒体であって、
識別情報を構成する少なくとも一つの要素を有する第１情報保持部と、
識別情報を構成する少なくとも一つの要素を有し、第１位置と第２位置との間で移動可能な第２情報保持部と、
を備え、
前記第２情報保持部が前記第１位置に配置されている状態で、前記第１情報保持部の前記要素によって第１識別情報が構成され、
前記第２情報保持部が前記第２位置に配置されている状態で、前記第１情報保持部の前記要素と前記第２情報保持部の前記要素とによって第２識別情報が構成され、
前記情報保持媒体は玩具であり、前記第２情報保持部の移動に応じて前記玩具の外観が変化する
情報保持媒体。
【請求項２】
請求項１において、
前記識別情報は、前記玩具の外観に関連する情報である情報保持媒体。
【請求項３】
請求項１または請求項２において、
前記第１情報保持部の前記要素と前記第２情報保持部の前記要素は、媒体表面の情報領域に配置される突起であり、
前記第２情報保持部は前記第１位置と前記第２位置との間で移動可能であり、前記第２情報保持部が前記第１位置に配置されている状態では、前記第２情報保持部の前記要素は前記媒体表面から離間するように配置され、前記第２情報保持部が前記第２位置に配置されている状態では、前記第２情報保持部の前記要素は前記媒体表面に突出した状態に配置される情報保持媒体。
【請求項４】
請求項１において、
前記第１情報保持部の前記要素と前記第２情報保持部の前記要素は、媒体表面の情報領域に配置される突起であり、
前記第２情報保持部の前記要素は、前記第２情報保持部が前記第１位置に配置されている状態では前記媒体表面の前記情報領域に没入し、前記第２情報保持部が前記第２位置に配置されている状態では前記媒体表面の前記情報領域に突出する情報保持媒体。
【請求項５】
請求項１または請求項４において、
前記第２情報保持部は、複数の前記要素を有し、
前記第２識別情報は、前記第１情報保持部の前記要素と、前記第２情報保持部の一つ以上の前記要素によって構成される情報保持媒体。
【請求項６】
請求項４において、
前記情報保持媒体は操作部を備え、
前記第２情報保持部は、前記操作部の操作に応じて、前記第１位置と前記第２位置との間で移動される情報保持媒体。
【請求項７】
請求項６において、
前記操作部の操作に応じて前記外観が変化する情報保持媒体。
【請求項８】
請求項１から７のいずれか一項記載の前記情報保持媒体と、
前記情報保持媒体が保持する識別情報を読み取る情報読取装置と、
を備え、
前記情報読取装置は、
前記情報保持媒体が保持する識別情報を読み取る読取部と、
動作部と、
前記読取部によって読み取られた識別情報に基づいて前記動作部を動作させる制御部と、
を有する情報処理システム。
【請求項９】
請求項８において、
前記読取部は、前記情報保持媒体の前記第１情報保持部の前記要素を検出する第１検出部と、前記情報保持媒体の前記第２情報保持部の前記要素を検出する第２検出部とを有する情報処理システム。
【請求項１０】
請求項８において、
前記読取部は、前記情報保持媒体の前記第１情報保持部の前記要素と、前記情報保持媒体の前記第２情報保持部の前記要素と、の両方を検出する検出部を有する情報処理システム。
【請求項１１】
請求項１０において、
前記読取部は、前記情報保持媒体が装着される装着部を有し、
前記情報保持媒体の前記第１情報保持部の前記要素と、前記第２情報保持部の前記要素とは、少なくとも前記情報保持媒体の前記装着部に対する装着方向に配列されており、前記情報保持媒体が前記装着部に装着される際に前記検出部を順次通過する情報処理システム。
【請求項１２】
請求項８から１１のいずれか一項において、
前記情報読取装置は、光及び／又は音を用いた演出を出力する演出部を前記動作部に含む玩具である情報処理システム。
【手続補正書】
【提出日】令和3年2月5日(2021.2.5)
【手続補正１】
【補正対象書類名】特許請求の範囲
【補正対象項目名】全文
【補正方法】変更
【補正の内容】
【特許請求の範囲】
【請求項１】
複数のオブジェクトからなるオブジェクトグループに基づいて、所定のゲーム処理を実行するゲームシステムであって、
前記オブジェクトグループに含まれる前記複数のオブジェクトの各々を示す第１オブジェクト情報を、表示手段に表示させる第１表示制御手段と、
選択されたオブジェクトを、前記オブジェクトグループに追加する追加手段と、
前記オブジェクトグループに追加されたオブジェクトを特定するための第２オブジェクト情報を、前記表示手段に表示させる第２表示制御手段と、
を含むゲームシステム。
【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
所定の抽選を行い、該抽選の結果に応じて遊技利益を付与する遊技機において、
遊技の進行過程にて演出発光が可能なＬＥＤと、
前記ＬＥＤが実装される複数の装飾基板と、
を具備し、
前記装飾基板には白色塗膜が設けられ、該白色塗膜上には黄色のシルク印刷で形成された所定の文字部が設けられ、
複数の前記装飾基板のうちの第１の装飾基板には、前記文字部として第１の文字部が設けられ、
複数の前記装飾基板のうちの第２の装飾基板には、前記文字部として前記第１の文字部とは異なる第２の文字部が設けられる
ことを特徴とする遊技機。
【手続補正２】
【補正対象書類名】明細書
【補正対象項目名】０００３
【補正方法】変更
【補正の内容】
【０００３】
しかしながら、近年では、装飾基板について、興趣の低下を抑制しつつ利便性の高い新たな実施態様が望まれている実情にある。
【手続補正３】
【補正対象書類名】明細書
【補正対象項目名】０００５
【補正方法】変更
【補正の内容】
【０００５】
そこで、本発明は、新たな実施態様の装飾基板を有した遊技機の提供を課題とするものである。
【手続補正４】
【補正対象書類名】明細書
【補正対象項目名】０００６
【補正方法】変更
【補正の内容】
【０００６】
本発明は、
所定の抽選を行い、該抽選の結果に応じて遊技利益を付与する遊技機において、
遊技の進行過程にて演出発光が可能なＬＥＤと、
前記ＬＥＤが実装される複数の装飾基板と、
を具備し、
前記装飾基板には白色塗膜が設けられ、該白色塗膜上には黄色のシルク印刷で形成された所定の文字部が設けられ、
複数の前記装飾基板のうちの第１の装飾基板には、前記文字部として第１の文字部が設けられ、
複数の前記装飾基板のうちの第２の装飾基板には、前記文字部として前記第１の文字部とは異なる第２の文字部が設けられる
ことを特徴とする。
また、本発明とは別の発明として以下の手段を参考的に開示する。
手段１：遊技機において、
「透光性を有する所定形状の装飾体の後方に設けられ、少なくとも前面が白色とされていると共に、前面に複数のＬＥＤが実装されている複数の装飾基板と、
複数の該装飾基板の夫々の後面に設けられており、他の基板と区別するための区別手段と
を具備している」ことを特徴とする。
【手続補正５】
【補正対象書類名】明細書
【補正対象項目名】００６１
【補正方法】変更
【補正の内容】
【００６１】
本発明によれば、興趣の低下を抑制しつつ利便性を高い遊技機を提供することができる。
【手続補正書】
【提出日】令和3年2月18日(2021.2.18)
【手続補正１】
【補正対象書類名】特許請求の範囲
【補正対象項目名】全文
【補正方法】変更
【補正の内容】
【特許請求の範囲】
【請求項１】
下記の化学構造式で示される化合物（ＳＭ−３４５４３１）及び少なくとも１つの薬学上許容される担体を含む、亜急性期又は慢性期の脳梗塞を治療するための医薬組成物。
【化１】
2019147753.tif 000001
【請求項２】
脳梗塞の発症後７日目以降に投与される、請求項１に記載の医薬組成物。
【請求項３】
脳梗塞の発症後７日目〜１３日目まで毎日投与される、請求項２に記載の医薬組成物。
【請求項４】
脳梗塞の発症後少なくとも７日目〜１３日目まで毎日及び３週間目及び／又は４週間目にさらに投与される、請求項２に記載の医薬組成物。
【請求項５】
脳梗塞の発症後８日目〜１４日目における少なくとも１日及び３週間目及び／又は４週間目にさらに投与される、請求項２に記載の医薬組成物。
【請求項６】
傷害が生じた神経及び軸索を再生する、請求項１〜５のいずれかに記載の医薬組成物。
【請求項７】
傷害が生じた軸索を伸展させる、請求項１〜６のいずれかに記載の医薬組成物。
【請求項８】
亜急性期又は慢性期の脳梗塞に生じる生体における神経機能及び運動機能を改善する、請求項１〜７のいずれかに記載の医薬組成物。
【請求項９】
脳梗塞の亜急性期又は慢性期に投与されることにより、脳梗塞により生じた挺舌機能の回復を促進するか及び／又は前肢運動の機能を改善する、請求項８に記載の医薬組成物。
【請求項１０】
脳梗塞の亜急性期又は慢性期に投与されることにより、対象の死亡率を低下させる、請求項１〜９のいずれかに記載の医薬組成物。
【請求項１１】
脳梗塞の亜急性期又は慢性期に投与されることにより、梗塞巣において血管新生を促進する、請求項１〜１０のいずれかに記載の医薬組成物。
【請求項１２】
脳梗塞の亜急性期又は慢性期に投与されることにより、神経新生を促進する、請求項１〜１１のいずれかに記載の医薬組成物。
【請求項１３】
ＳＭ−３４５４３１及び少なくとも１つの薬学上許容される担体を含む、脳梗塞後亜急性期において、虚血後軸索再生を促進させる医薬組成物。
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
第１の色の画素と第２の色の画素と第３の色の画素が、マトリックス状に配置されたＥＬ表示パネルの製造方法であって、
前記第１の色の画素と前記第２の色の画素と前記第３の色の画素に、連続した第１の発光層を形成する第１の工程と、
前記第２の画素に形成された前記第１の発光層と、前記第３の画素に形成された前記第１の発光層にレーザ光を照射し、前記第１の発光層を改質する第２の工程と、
前記第１の発光層の上層に、前記第１の色の画素と前記第２の色の画素と前記第３の色の画素に、連続した第２の発光層を形成する第３の工程と、
前記第３の画素に形成された前記第２の発光層にレーザ光を照射し、前記第２の発光層を改質する第４の工程と、
前記第２の発光層の上層に、前記第１の色の画素と前記第２の色の画素と前記第３の色の画素に、連続した第３の発光層を形成する第５の工程を行うことを特徴とするＥＬ表示パネルの製造方法。
【請求項２】
第１の色の画素と第２の色の画素と第３の色の画素が、マトリックス状に配置されたＥＬ表示パネルの製造方法であって、
前記第１の色の画素と前記第２の色の画素と前記第３の色の画素に、連続した発光層を形成する第１の工程と、
前記第２の画素に形成された前記発光層に第１のレーザ光を照射し、前記発光層を改質する第２の工程と、
前記第３の画素に形成された前記発光層に第２のレーザ光を照射し、前記発光層を改質する第３の工程と有し、
前記第１のレーザ光の波長と、前記第２のレーザ光の波長とが異なることを特徴とするＥＬ表示パネルの製造方法。
【請求項３】
第１の色の画素と第２の色の画素と第３の色の画素が、マトリックス状に配置されたＥＬ表示パネルの製造方法であって、
前記第１の色の画素を選択して、第１の発光層を形成する第１の工程と、
前記第１の色の画素と前記第２の色の画素と前記第３の色の画素に、連続した第２の発光層を形成する第２の工程と、
前記第３の画素に形成された前記第２の発光層を選択してレーザ光を照射し、前記第２の発光層を改質する第３の工程と、
前記第１の色の画素と第２の色の画素と第３の色の画素に、連続した第３の発光層を形成する第４の工程と行うことを特徴とするＥＬ表示パネルの製造方法。
【請求項４】
前記発光層に前記レーザ光を照射する工程において、
前記レーザ光を照射した時に発生する光を受光し、
前記発生した光の強度が所定値となるように、前記発光層を改質することを特徴とする請求項１または請求項２または請求項３記載のＥＬ表示パネルの製造方法。
【請求項５】
前記発光層に前記レーザ光を照射する工程において、
前記レーザ光を照射した時に発生する光を、
前記のＥＬ表示パネルの裏面より受光することを特徴とする請求項１または請求項２または請求項３記載のＥＬ表示パネルの製造方法。
【請求項６】
前記ＥＬ表示パネルは、前記レーザ光を透過する窓を有する真空保持容器内に配置され、
前記レーザ光は前記窓を透過して、前記改質させる発光層に照射することを特徴とする請求項１または請求項２または請求項３記載のＥＬ表示パネルの製造方法。
【請求項７】
前記レーザ光はスリットマスクを介して、前記改質させる発光層に照射することを特徴とする請求項１または請求項２または請求項３記載のＥＬ表示パネルの製造方法。
【請求項８】
前記第１の色の画素に形成された前記第１の発光層、第２の発光層および第３の発光層のうち、少なくとも１つの発光層が、
ファイン蒸着マスクを用いる技術、または熱転写技術で形成することを特徴とする請求項１または請求項２または請求項３記載のＥＬ表示パネルの製造方法。
【請求項９】
前記レーザ光を照射する発光層は、ゲスト材料とホスト材料とを含有し、
前記ゲスト材料の前記レーザ光の光吸収率は、前記ホスト材料の前記レーザ光の光吸収率よりも大きいことを特徴とする請求項１または請求項２または請求項３記載のＥＬ表示パネルの製造方法。
【請求項１０】
前記レーザ光を照射する発光層は、ゲスト材料とホスト材料とを含有し、
前記発光層は前記レーザ光の照射により、
前記ゲスト材料のバンドギャップが前記ホスト材料のバンドギャップよりも大きく、
前記ゲスト材料と前記ホスト材料のＨＯＭＯ（Highest Occupied Molecular Orbital）の相対的な配置は前記ゲスト材料のほうが前記ホスト材料よりも低く、
前記ゲスト材料と前記ホスト材料のＬＵＭＯ（Lowest Unoccupied Molecular Orbital）の相対的な配置はゲスト材料のほうがホスト材料よりも高い、
の３つの関係のうち、少なくとも１つ以上の関係があるように、改質することを特徴とする請求項１または請求項２または請求項３記載のＥＬ表示パネルの製造方法。
【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
柔軟性があるフィルムと、
前記フィルムの表面に接合された複数の配線と、
前記フィルムの前記表面に接合され、前前記複数の配線に電気的に接続されたＩＣチップと、
前記フィルムの前記表面に接合され、前記ＩＣチップ及び／又は前記複数の配線が配置されている配置領域に対してずれて位置しており、前記複数の配線と同一の材料で形成された第１保護パターン
とを備える
集積回路装置。
【請求項２】
請求項１に記載の集積回路装置であって、
前記フィルムは、
前記複数の配線と前記ＩＣチップとが接合された本体部分と、
前記本体部分から第１方向に突出する第１突出部分
とを備え、
前記第１保護パターンは、前記フィルムの前記第１突出部分に接合された
集積回路装置。
【請求項３】
請求項１に記載の集積回路装置であって、
更に、
前記フィルムの前記表面に接合され、前記配置領域に対して前記第１方向と反対の第２方向に位置しており、前記複数の配線と同一の材料で形成された第２保護パターン
を備える
集積回路装置。
【請求項４】
請求項３に記載の集積回路装置であって、
前記フィルムは、
前記複数の配線と前記ＩＣチップとが接合された本体部分と、
前記本体部分から前記第１方向に突出する第１突出部分と、
前記本体部分から前記第２方向に突出する第２突出部分
とを備え、
前記第１保護パターンは、前記フィルムの前記第１突出部分に接合され、
前記第２保護パターンは、前記フィルムの前記第２突出部分に接合された
集積回路装置。
【請求項５】
請求項１に記載の集積回路装置であって、
前記第１保護パターンは、
第１方向に延伸する第１パターン部分と、
前記第１パターン部分の前記第１方向の端から前記第１方向と垂直な方向に突出する第２パターン部分と、
前記第２パターン部分の前記第１パターン部分から離れた位置から前記第１方向と反対の第２方向に突出する第３パターン部分
とを備える
集積回路装置。
【請求項６】
請求項１乃至５のいずれかに記載の集積回路装置であって、
前記複数の配線が、接地線を備え、
前記第１保護パターンが前記接地線に接続された
集積回路装置。
【請求項７】
柔軟性があるフィルムと、
前記フィルムの表面に接合された複数の配線と、
前記フィルムの前記表面に接合され、前記複数の配線に電気的に接続されたＩＣチップ
とを備え、
前記フィルムが、
前記複数の配線と前記ＩＣチップとが接合された本体部分と、
前記ＩＣチップに対して第１方向に位置し、前記本体部分から前記第１方向に突出する第１突出部分
とを含む
集積回路装置。
【請求項８】
請求項７に記載の集積回路装置であって、
前記フィルムが、更に、前記ＩＣチップに対して前記第１方向と反対の第２方向に位置し、前記本体部分から前記第２方向に突出する第２突出部分を含む
集積回路装置。
【請求項９】
柔軟性があるフィルムと、
前記フィルムの表面に接合された複数の配線と、
前記フィルムの前記表面に接合され、前記複数の配線に電気的に接続されたＩＣチップとを備え、
前記フィルムは、
前記複数の配線と前記ＩＣチップとが接合された本体部分と、
前記本体部分から突出する第１突出部分
とを備え、
前記フィルムが、前記第１突出部分が前記本体部分に対向するように折り曲げられた
電子機器。
【請求項１０】
請求項９に記載の電子機器であって、
更に、前記フィルムの前記表面に接合され、前記複数の配線と同一の材料で形成された第１保護パターンを備え、
前記第１保護パターンが前記複数の配線の少なくとも一部の配線及び／又は前記ＩＣチップに対向するように前記フィルムが折り曲げられた
電子機器。
【請求項１１】
請求項１０に記載の電子機器であって、
更に、
前記フィルムの前記本体部分に対向するように配置されたフレキシブル配線基板を備え、
前記フィルムが、前記第１保護パターンが前記フレキシブル配線基板を挟んで前記少なくとも一部の配線及び／又は前記ＩＣチップに対向するように折り曲げられた
電子機器。
【請求項１２】
請求項９に記載の電子機器であって、
更に、前記第１突出部分に前記ＩＣチップと対向するように接合されたスティフナーを備える
電子機器。
【手続補正書】
【提出日】令和3年9月29日(2021.9.29)
【手続補正１】
【補正対象書類名】特許請求の範囲
【補正対象項目名】全文
【補正方法】変更
【補正の内容】
【特許請求の範囲】
【請求項１】
画像に含まれる特定の被写体を、推定する推定手段と、
前記被写体を秘匿するために行う画像加工の度合いを設定する設定手段と、
前記推定された被写体に対して前記設定された画像加工の度合いに応じた秘匿化処理を施した表示画像を出力する出力手段と、
を有し、
前記表示画像は、前記画像に含まれる前記被写体の数を示すことを特徴とする画像処理装置。
【請求項２】
前記推定手段は、前記画像から前記被写体の密度分布を推定し、
前記出力手段は、前記設定された画像加工の度合いに基づき、前記推定手段により推定された前記密度分布を、前記画像に重畳した前記表示画像を出力することを特徴とする請求項１に記載の画像処理装置。
【請求項３】
前記出力手段は、前記設定された画像加工の度合いに基づき、前記推定手段により推定された前記密度分布の密度が閾値以上の領域に対して、モザイク処理またはぼかし処理の少なくとも一つの処理を前記画像に施した画像を前記表示画像として出力することを特徴とする請求項２に記載の画像処理装置。
【請求項４】
前記画像から、前記特定の被写体の検出処理を行う検出手段をさらに有し、
前記出力手段は、前記検出処理の検出結果に更に基づいて、前記表示画像を出力することを特徴とする請求項３に記載の画像処理装置。
【請求項５】
前記検出手段は、前記特定の被写体の所定の部位を示すパターンに基づいて、前記被写体の所定の部位を検出し、
前記出力手段は、前記設定された画像加工の度合いに応じて前記被写体の所定の部位を少なくとも隠すように加工した前記表示画像を出力することを特徴とする請求項４に記載の画像処理装置。
【請求項６】
前記特定の被写体は、人物であって、
前記被写体の所定の部位は、人物の頭部であることを特徴とする請求項５に記載の画像処理装置。
【請求項７】
前記出力手段は、前記推定手段により推定された前記被写体の密度分布を、前記画像のうち第一の領域に重畳する秘匿化処理を行い、
更に前記検出手段による検出結果を、前記画像のうち第二の領域に重畳する秘匿化処理を行うことを特徴とする請求項４乃至６のいずれか１項に記載の画像処理装置。
【請求項８】
前記出力手段は、前記第一の領域および前記第二の領域の少なくとも一方を、前記画像における被写体の大きさに基づいて決定することを特徴とする請求項７に記載の画像処理装置。
【請求項９】
前記推定手段は、前記画像に含まれる特定の被写体の位置を、推定し、
前記出力手段は、前記推定手段により推定された前記画像に含まれる特定の被写体の位置に基づいて、前記表示画像を出力することを特徴とする請求項１乃至８のいずれか１項に記載の画像処理装置。
【請求項１０】
前記画像を基に、前記特定の被写体の写っていない背景画像を生成する生成手段を更に有し、
前記設定された画像加工の度合いに基づき、前記推定手段により推定された前記被写体の位置を、前記背景画像に重畳することによって前記表示画像を出力することを特徴とする請求項９に記載の画像処理装置。
【請求項１１】
前記出力手段は、前記設定された画像加工の度合いに基づき、前記推定手段により推定された前記画像に含まれる特定の被写体の位置に対して、二値化処理または膨張処理の少なくとも一つの処理を行った前記画像を前記表示画像として出力することを特徴とする請求項９に記載の画像処理装置。
【請求項１２】
前記設定手段は、ユーザの指示に基づいて、前記画像加工の度合いを表すプライバシーレベルを設定し、
前記出力手段は、前記プライバシーレベルに応じて前記表示画像を出力することを特徴とする請求項１乃至１１のいずれか１項に記載の画像処理装置。
【請求項１３】
前記設定手段は、所定のユーザーインターフェースに対する操作に基づいて、前記プライバシーレベルを設定することを特徴とする請求項１２に記載の画像処理装置。
【請求項１４】
前記所定のユーザーインターフェースは、前記プライバシーレベルを複数の段階に分けた何れかの段階を設定するユーザーインターフェース、または、前記秘匿化処理の後に表示される内容を設定するユーザーインターフェースであることを特徴とする請求項１３に記載の画像処理装置。
【請求項１５】
前記出力手段は、前記設定された画像加工の度合いに応じて、前記画像における被写体の位置のみを示す画像、前記画像における被写体全体を加工した画像または、前記画像における前記被写体の所定の部位を加工した画像のいずれかを前記表示画像として出力すること特徴とする請求項１乃至１４のいずれか１項に記載の画像処理装置。
【請求項１６】
前記推定手段は、前記画像における被写体の移動ベクトルを更に推定し、
前記表示画像は、前記推定された被写体の移動ベクトルを示すことを特徴とする請求項１乃至１５のいずれか１項に記載の画像処理装置。
【請求項１７】
画像に含まれる特定の被写体を、推定する推定工程と、
前記被写体を秘匿するために行う画像加工の度合いを設定する設定工程と、
前記推定された被写体に対して前記設定された画像加工の度合いに応じた秘匿化処理を施した表示画像を出力する出力工程と、
を有し、
前記表示画像は、前記画像に含まれる前記被写体の数を示すことを特徴とする画像処理方法。
【請求項１８】
コンピュータを、請求項１乃至１６のいずれか１項に記載の画像処理装置の各手段として機能させるためのプログラム。
【手続補正２】
【補正対象書類名】明細書
【補正対象項目名】０００８
【補正方法】変更
【補正の内容】
【０００８】
本発明は、画像に含まれる特定の被写体を、推定する推定手段と、前記被写体を秘匿するために行う画像加工の度合いを設定する設定手段と、前記推定された被写体に対して前記設定された画像加工の度合いに応じた秘匿化処理を施した表示画像を出力する出力手段と、を有し、前記表示画像は、前記画像に含まれる前記被写体の数を示すことを特徴とする。
【手続補正書】
【提出日】令和3年2月17日(2021.2.17)
【手続補正１】
【補正対象書類名】特許請求の範囲
【補正対象項目名】全文
【補正方法】変更
【補正の内容】
【特許請求の範囲】
【請求項１】
１ベットランプと、
２ベットランプと、
３ベットランプと、
リプレイランプと、
スタートランプと、
遊技媒体投入可ランプと、
スタートスイッチと、
内部抽せん手段と、
リールを制御するリール制御手段と、
を備え、
遊技区間として、通常区間と有利区間とを有し、
通常区間では、ストップスイッチの有利な操作態様を報知せず、
有利区間では、ストップスイッチの有利な操作態様を報知する場合を有し、
有利区間において、遊技の実行に応じて所定の記憶領域に記憶されている値を更新し得るよう構成されており、
有利区間であり、且つ、ボーナスの当選情報を持ち越している状況においても、遊技の実行に応じて前記所定の記憶領域に記憶されている値を更新し得るよう構成されており、
前記所定の記憶領域に記憶されている値が所定条件を満たした場合には、有利区間を終了し得るよう構成されており、
所定の遊技で、前記内部抽せん手段により所定の結果が決定され、その後、ベット数として３が設定され且つ遊技媒体の投入が可能な所定の状況で前記スタートスイッチの操作により実行された、前記所定の遊技の次回の遊技で、前記内部抽せん手段により特定の結果が決定され、複数のリールが回転している状況下では、前記リプレイランプは消灯しており、前記１ベットランプは点灯しており、前記２ベットランプは点灯しており、前記３ベットランプは点灯しており、前記スタートランプは消灯しており、前記遊技媒体投入可ランプは消灯しており、その後、当該特定の結果に対応する図柄組合せが停止された以降の第１のタイミングにおいては、前記リプレイランプは消灯しており、前記１ベットランプは点灯しており、前記２ベットランプは点灯しており、前記３ベットランプは点灯しており、前記スタートランプは消灯しており、前記遊技媒体投入可ランプは消灯しており、その後、前記リプレイランプを点灯した後に前記スタートランプと前記遊技媒体投入可ランプとを点灯するよう構成されている
ことを特徴とする遊技機。
【手続補正２】
【補正対象書類名】明細書
【補正対象項目名】０００５
【補正方法】変更
【補正の内容】
【０００５】
円滑に遊技を進行できる遊技機の提供が望まれている。
【手続補正３】
【補正対象書類名】明細書
【補正対象項目名】０００６
【補正方法】変更
【補正の内容】
【０００６】
本態様に係る遊技機は、
１ベットランプと、
２ベットランプと、
３ベットランプと、
リプレイランプと、
スタートランプと、
遊技媒体投入可ランプと、
スタートスイッチと、
内部抽せん手段と、
リールを制御するリール制御手段と、
を備え、
遊技区間として、通常区間と有利区間とを有し、
通常区間では、ストップスイッチの有利な操作態様を報知せず、
有利区間では、ストップスイッチの有利な操作態様を報知する場合を有し、
有利区間において、遊技の実行に応じて所定の記憶領域に記憶されている値を更新し得るよう構成されており、
有利区間であり、且つ、ボーナスの当選情報を持ち越している状況においても、遊技の実行に応じて前記所定の記憶領域に記憶されている値を更新し得るよう構成されており、
前記所定の記憶領域に記憶されている値が所定条件を満たした場合には、有利区間を終了し得るよう構成されており、
所定の遊技で、前記内部抽せん手段により所定の結果が決定され、その後、ベット数として３が設定され且つ遊技媒体の投入が可能な所定の状況で前記スタートスイッチの操作により実行された、前記所定の遊技の次回の遊技で、前記内部抽せん手段により特定の結果が決定され、複数のリールが回転している状況下では、前記リプレイランプは消灯しており、前記１ベットランプは点灯しており、前記２ベットランプは点灯しており、前記３ベットランプは点灯しており、前記スタートランプは消灯しており、前記遊技媒体投入可ランプは消灯しており、その後、当該特定の結果に対応する図柄組合せが停止された以降の第１のタイミングにおいては、前記リプレイランプは消灯しており、前記１ベットランプは点灯しており、前記２ベットランプは点灯しており、前記３ベットランプは点灯しており、前記スタートランプは消灯しており、前記遊技媒体投入可ランプは消灯しており、その後、前記リプレイランプを点灯した後に前記スタートランプと前記遊技媒体投入可ランプとを点灯するよう構成されている
ことを特徴とする遊技機である。
＜付記＞
尚、本態様とは異なる別態様について以下に列記しておくが、これらには何ら限定されることなく実施することが可能である。
本別態様に係る遊技機は、
単位遊技で終了する特別遊技を備えた遊技機であって、
通常遊技での規定数が「Ｘ（Ｘは数値）」、前記特別遊技での規定数が「Ｙ（Ｙは数値。但し、Ｘとは異なる値）」に設定されており、
前記特別遊技において、再遊技が実行可能な所定の抽選結果を決定可能に構成されており、
規定数「Ｙ」の前記特別遊技において、前記所定の抽選結果に当選し、再遊技に対応する図柄組合せが停止した後は、通常遊技に移行可能とし、「Ｘ」に相当するベット数が自動ベットされるように構成されている
ことを特徴とする。
【手続補正４】
【補正対象書類名】明細書
【補正対象項目名】０００７
【補正方法】変更
【補正の内容】
【０００７】
本態様に係る遊技機によれば、円滑に遊技を進行できる遊技機を提供することができる、という効果を奏する。
【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
ビニルハウスの各側方にて地面に固定される固定部材の対と、
複数の太陽光発電パネルを連結するための部材であって、前記ビニルハウスの上方にて横架される少なくとも１つの連結部材と、
前記少なくとも１つの連結部材の両端部に設けられており、前記固定部材のそれぞれに着脱可能に取り付けるための複数の係止部材とを備える、
太陽光発電パネル取付装置。
【請求項２】
ビニルハウスの側方にて地面に固定される少なくとも１つの固定部材と、
前記ビニルハウスの上部にて奥行方向に沿って配置されるガイドレールと、
前記ガイドレールに沿って前記奥行方向に移動する移動部材と、
複数の太陽光発電パネルを連結するための少なくとも１つの連結部材と、
前記少なくとも１つの連結部材の一方の端部に設けられており、前記固定部材に着脱可能に取り付けるための少なくとも１つの係止部材とを備え、
前記少なくとも１つの連結部材の他方の端部は、前記移動部材に取り付けられている、
太陽光発電パネル取付装置。
【請求項３】
前記少なくとも１つの連結部材は、一対の連結部材を含み、
前記一対の連結部材は、各々の前記他方の端部が前記移動部材に取り付けられて、当該移動部材から互いに離れる方向へ配置され、
前記少なくとも１つの係止部材は、複数であって、前記一対の連結部材のうちの一方の連結部材が有する前記一方の端部を前記固定部材の一方に着脱可能に取り付けるための係止部材と、前記一対の連結部材のうちの他方の連結部材が有する前記一方の端部を前記固定部材の他方に着脱可能に取り付けるための係止部材とを含む
請求項２に記載の太陽光発電パネル取付装置。
【請求項４】
前記固定部材の各々は、
前記ビニルハウスの側方にて前記奥行方向に沿って配置される棒状の部位であり、前記係止部材が係止される棒状部と、
前記棒状部を地面に対して固定するための複数の固定部とを有する、
請求項１から３のいずれか１項に記載の太陽光発電パネル取付装置。
【請求項５】
前記少なくとも１つの連結部材は、可撓性を有する、
請求項１から４のいずれか１項に記載の太陽光発電パネル取付装置。
【請求項６】
前記少なくとも１つの連結部材は、前記複数の太陽光パネルを連結した状態で上方へ突き出した湾曲形状を維持する硬さを有する、
請求項１から４のいずれか１項に記載の太陽光発電パネル取付装置。
【請求項７】
前記少なくとも１つの連結部材は、金属製又は樹脂製である、
請求項１から６のいずれか１項に記載の太陽光発電パネル取付装置。
【請求項８】
前記複数の太陽光発電パネルのそれぞれが取り付けられる部材であって、前記少なくとも１つの連結部材に固定される複数の接続部材をさらに備える、
請求項１から７のいずれか１項に記載の太陽光発電パネル取付装置。
【請求項９】
請求項１から８のいずれか１項に記載の太陽光発電パネル取付装置と、
前記複数の太陽光発電パネルとを備える、太陽光発電装置。
【請求項１０】
請求項１から７のいずれか１項に記載の太陽光発電パネル取付装置を準備する工程と、
前記固定部材を地面に対して固定する工程と、
前記ビニルハウスの上部近傍から少なくとも一方の側方へ垂れ下がるように、前記少なくとも１つの連結部材を配置する工程と、
前記配置された少なくとも１つの連結部材の端部に設けられた係止部材を前記地面に固定された固定部材に係止させる工程とを含む、太陽光発電パネル取付装置の設置方法。
【請求項１１】
請求項１０に記載の太陽光発電パネル取付装置の設置方法に含まれる工程と、
前記複数の太陽光発電パネルを前記少なくとも１つの連結部材に取り付ける工程とを含む、太陽光発電装置の設置方法。
【手続補正２】
【補正対象書類名】明細書
【補正対象項目名】発明の名称
【補正方法】変更
【補正の内容】
【発明の名称】太陽光発電パネル取付装置、太陽光発電装置及びそれぞれの設置方法
【手続補正３】
【補正対象書類名】明細書
【補正対象項目名】０００１
【補正方法】変更
【補正の内容】
【０００１】
本発明は、太陽光発電パネル取付装置、太陽光発電装置及びそれぞれの設置方法に関する。
【手続補正４】
【補正対象書類名】明細書
【補正対象項目名】００１０
【補正方法】変更
【補正の内容】
【００１０】
上記目的を達成するため、本発明の第１の観点に係る太陽光発電パネル取付装置は、
ビニルハウスの各側方にて地面に固定される固定部材の対と、
複数の太陽光発電パネルを連結するための部材であって、前記ビニルハウスの上方にて横架される少なくとも１つの連結部材と、
前記少なくとも１つの連結部材の両端部に設けられており、前記固定部材のそれぞれに着脱可能に取り付けるための複数の係止部材とを備える。
【手続補正５】
【補正対象書類名】明細書
【補正対象項目名】００１１
【補正方法】変更
【補正の内容】
【００１１】
本発明の第２の観点に係る太陽光発電パネル取付装置は、
ビニルハウスの側方にて地面に固定される少なくとも１つの固定部材と、
前記ビニルハウスの上部にて奥行方向に沿って配置されるガイドレールと、
前記ガイドレールに沿って前記奥行方向に移動する移動部材と、
複数の太陽光発電パネルを連結するための少なくとも１つの連結部材と、
前記少なくとも１つの連結部材の一方の端部に設けられており、前記固定部材に着脱可能に取り付けるための少なくとも１つの係止部材とを備え、
前記少なくとも１つの連結部材の他方の端部は、前記移動部材に取り付けられている。
【手続補正６】
【補正対象書類名】明細書
【補正対象項目名】００１２
【補正方法】変更
【補正の内容】
【００１２】
本発明の第３の観点に係る太陽光発電装置は、
上記の太陽光発電パネル取付装置のいずれかと、
前記複数の太陽光発電パネルとを備える。
【手続補正７】
【補正対象書類名】明細書
【補正対象項目名】００１３
【補正方法】変更
【補正の内容】
【００１３】
本発明の第４の観点に係る太陽光発電パネル取付装置の設置方法は、
上記の太陽光発電パネル取付装置のいずれかを準備する工程と、
前記固定部材を地面に固定する工程と、
前記ビニルハウスの上部近傍から少なくとも一方の側方へ垂れ下がるように、前記少なくとも１つの連結部材を配置する工程と、
前記配置された少なくとも１つの連結部材の端部に設けられた係止部材を前記地面に固定された固定部材に係止させる工程とを含む。
本発明の第５の観点に係る太陽光発電装置の設置方法は、
上記の太陽光発電パネル取付装置の設置方法に含まれる工程と、
前記複数の太陽光発電パネルを前記少なくとも１つの連結部材に取り付けることとを含む。
【手続補正書】
【提出日】令和3年3月3日(2021.3.3)
【手続補正１】
【補正対象書類名】特許請求の範囲
【補正対象項目名】全文
【補正方法】変更
【補正の内容】
【特許請求の範囲】
【請求項１】
光硬化性樹脂を保持する容器と、
前記光硬化性樹脂を光硬化させた三次元造形物を支持する基台と、
前記基台を移動させるための移動部と、
前記光硬化性樹脂を硬化させる硬化光を発光する光源ユニットと、
前記容器の一部として前記光源ユニットと前記基台の間に設けられ、前記光硬化性樹脂と接する光透過部とを備え、
前記光透過部は、前記硬化光を透過する材料からなり、前記光硬化性樹脂と接する、上面部および側面部からなる複数の凸部を有し、
少なくとも前記側面部には、光反射膜または光吸収膜が形成されている
ことを特徴とする三次元造形装置。
【請求項２】
前記光反射膜は、Ａｌ、Ａｇ、Ｐｔ、Ｃｒ、または誘電体を含むことを特徴とする請求項１記載の三次元造形装置。
【請求項３】
前記光吸収膜は、Ａｕ、Ｎｉ、Ｔｉ、またはＣを含むことを特徴とする請求項１または２記載の三次元造形装置。
【請求項４】
前記光透過部の面積に対する前記上面部の面積の割合が２％以上８０％以下であることを特徴とする請求項１乃至３何れか１項に記載の三次元造形装置。
【請求項５】
前記複数の凸部は、隣り合う凸部の距離が１０μｍ以上２００μｍ以下になるよう配置されている、
ことを特徴とする請求項１乃至４何れか１項に記載の三次元造形装置。
【請求項６】
前記凸部の高さが、５０μｍ以上で８００μｍ以下である、
ことを特徴とする請求項１乃至５何れか１項に記載の三次元造形装置。
【請求項７】
前記光透過部は、ガラス、透明セラミックス、アクリル、またはフルオロポリマーのいずれかを含む、
ことを特徴とする請求項１乃至６何れか１項に記載の三次元造形装置。
【請求項８】
前記凸部は、多角柱形状を含む
ことを特徴とする請求項１乃至７のうちの何れか１項に記載の三次元造形装置。
【請求項９】
前記凸部は、六角柱形状を含む、
ことを特徴とする請求項１乃至７のうちの何れか１項に記載の三次元造形装置。
【請求項１０】
前記凸部は、円柱形状を含む、
ことを特徴とする請求項１乃至７のうちの何れか１項に記載の三次元造形装置。
【請求項１１】
前記凸部は、円錐台形状を含む、
ことを特徴とする請求項１乃至７のうちの何れか１項に記載の三次元造形装置。
【請求項１２】
光硬化性樹脂を保持する容器であって、
前記容器の一部として、前記光硬化性樹脂と接する光透過部とを備え、
前記光透過部は、前記光硬化性樹脂を硬化する硬化光を透過する材料からなり、前記光硬化性樹脂と接する、上面部および側面部からなる複数の凸部を有し、
少なくとも前記側面部には、光反射膜または光吸収膜が形成されている
ことを特徴とする容器。
【請求項１３】
光硬化性樹脂を保持する容器と、
前記光硬化性樹脂を光硬化させた造形物を支持する基台と、
前記基台を移動させるための移動部と、
前記光硬化性樹脂を光硬化させる光を発光する光源ユニットと、
前記容器の一部として前記光源ユニットと前記基台の間に設けられ、前記光硬化性樹脂と接する光透過部とを備えた三次元造形装置を用いる造形物の製造方法であって、
前記光源ユニットを発光させて前記容器の内に保持された前記光硬化性樹脂の一部を光硬化させた後に、
前記基台を前記光透過部から離間する方向に移動させ、
前記光硬化性樹脂を、光反射膜または光吸収膜が形成された、前記光透過部に設けられた硬化光を透過する材料からなる複数の凸部の側面部を通じて、前記光硬化性樹脂を前記光透過部と前記三次元造形物との間に補充する、
ことを特徴とする造形物の製造方法。
【手続補正２】
【補正対象書類名】明細書
【補正対象項目名】００１３
【補正方法】変更
【補正の内容】
【００１３】
本発明の三次元造形装置は、光硬化性樹脂を保持する容器と、前記光硬化性樹脂を光硬化させた三次元造形物を支持する基台と、前記基台を移動させるための移動部と、前記光硬化性樹脂を硬化させる硬化光を発光する光源ユニットと、前記容器の一部として前記光源ユニットと前記基台の間に設けられ、前記光硬化性樹脂と接する光透過部とを備え、前記光透過部は、前記硬化光を透過する材料からなり、前記光硬化性樹脂と接する、上面部および側面部からなる複数の凸部を有し、少なくとも前記側面部には、光反射膜または光吸収膜が形成されていることを特徴とする。
【手続補正３】
【補正対象書類名】明細書
【補正対象項目名】００１４
【補正方法】変更
【補正の内容】
【００１４】
本発明の容器は、光硬化性樹脂を保持する容器であって、前記容器の一部として、前記光硬化性樹脂と接する光透過部とを備え、前記光透過部は、前記光硬化性樹脂を硬化する硬化光を透過する材料からなり、前記光硬化性樹脂と接する、上面部および側面部からなる複数の凸部を有し、少なくとも前記側面部には、光反射膜または光吸収膜が形成されていることを特徴とする。
【手続補正４】
【補正対象書類名】明細書
【補正対象項目名】００１５
【補正方法】変更
【補正の内容】
【００１５】
本発明の造形物の製造方法は、光硬化性樹脂を保持する容器と、前記光硬化性樹脂を光硬化させた造形物を支持する基台と、前記基台を移動させるための移動部と、前記光硬化性樹脂を光硬化させる光を発光する光源ユニットと、前記容器の一部として前記光源ユニットと前記基台の間に設けられ、前記光硬化性樹脂と接する光透過部とを備えた三次元造形装置を用いる造形物の製造方法であって、前記光源ユニットを発光させて前記容器の内に保持された前記光硬化性樹脂の一部を光硬化させた後に、前記基台を前記光透過部から離間する方向に移動させ、前記光硬化性樹脂を、光反射膜または光吸収膜が形成された、前記光透過部に設けられた硬化光を透過する材料からなる複数の凸部の側面部を通じて、前記光硬化性樹脂を前記光透過部と前記三次元造形物との間に補充する、ことを特徴とする。
【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
排ガスを吸収液と接触させて浄化ガスに変換するように構成されたスクラバと、
前記スクラバからの前記浄化ガスを大気に排出するための排気口を有する排気ダクトと、
前記排気ダクトを流れる前記浄化ガスを加熱する再加熱ユニットと、
前記排気口に対する相対風速ｕ、気温および湿度の少なくとも一つを含む大気情報と、前記スクラバに供給される前記吸収液の温度または前記スクラバから排出される前記浄化ガスの温度の少なくとも一方とに基づいて、下記条件（ａ）及び（ｂ）を満たすように前記再加熱ユニットを制御するように構成されたコントローラと、
を備える排ガス処理装置：
（ａ）前記排気口からの前記浄化ガスの噴出し速度ＶｓがＶｓ≧１．５ｕを満たす
（ｂ）前記浄化ガスが前記排気口から放出されて大気に拡散するまでの間、前記浄化ガスの相対湿度が１００％未満を満たす。
【請求項２】
前記コントローラは、
前記噴出し速度Ｖｓと、前記スクラバから排出される前記浄化ガスの温度との相関に基づいて、前記条件（ａ）を充足するために必要な前記浄化ガスの下限温度を求め、
前記浄化ガスの温度が前記下限温度以上となるように、前記再加熱ユニットにおける再加熱量を決定する
ように構成された請求項１に記載の排ガス処理装置。
【請求項３】
前記コントローラは、
前記排気口を通過後、前記大気への拡散中における前記浄化ガスの湿度および温度の既知の変化傾向に基づいて、前記大気への拡散中における前記浄化ガスの温度と露点との最小温度差が閾値以上となるのに必要な前記浄化ガスの下限温度を求め、
前記浄化ガスの温度が前記下限温度以上となるように、前記再加熱ユニットにおける再加熱量を決定する
ように構成された請求項１又は２に記載の排ガス処理装置。
【請求項４】
前記コントローラは、
航路及び船速を含む航海計画から、前記航路上の各区域の通過時刻を求め、
前記通過時刻における前記各区域の気象予測データを取得し、
前記気象予測データから得た前記大気情報に基づいて、前記各区域における前記再加熱ユニットを制御する
ように構成された請求項１〜３の何れか一項に記載の排ガス処理装置。
【請求項５】
前記相対風速ｕ、前記気温又は前記湿度を取得する大気センサと、
前記吸収液の温度を計測する水温計と、
前記排気ダクトを流れる前記浄化ガスの温度を計測する出口温度計と、
をさらに備え、
前記コントローラは、
前記大気センサの実測によって前記大気情報を取得し、
前記水温計又は前記出口温度計による実測によって前記吸収液の温度又は前記排気ダクトを流れる前記浄化ガスの出口温度の何れか一方を取得するように構成された
請求項１〜４の何れか一項に記載の排ガス処理装置。
【請求項６】
前記コントローラは、前記大気センサによって取得した前記大気情報と、前記水温計によって計測した前記吸収液の温度とに基づき前記再加熱ユニットを制御するように構成された
請求項５に記載の排ガス処理装置。
【請求項７】
前記コントローラは、前記大気センサによって取得した前記大気情報と、前記出口温度計によって計測した前記出口温度とに基づき前記再加熱ユニットを駆動するように構成された
請求項５に記載の排ガス処理装置。
【請求項８】
前記コントローラは、
気象予測データから前記大気情報を取得するとともに、
海象予測データから前記吸収液の温度又は前記浄化ガスの出口温度の何れか一方を取得するように構成された
請求項１に記載の排ガス処理装置。
【請求項９】
排ガスを吸収液と接触させて浄化ガスに変換するように構成されたスクラバと、前記スクラバからの前記浄化ガスを大気に排出するための排気口を有する排気ダクトと、前記排気ダクトを流れる前記浄化ガスを加熱する再加熱ユニットと、を備えた排ガス処理装置の運転方法であって、
前記排気口に対する相対風速ｕ、気温および湿度の少なくとも一つを含む大気情報を取得するステップと、
前記スクラバに供給される前記吸収液の温度または前記スクラバから排出される前記浄化ガスの温度の少なくとも一方を取得するステップと、
取得した前記大気情報と、前記吸収液の温度または前記浄化ガスの温度とに基づいて、下記条件（ａ）及び（ｂ）を満たすように前記再加熱ユニットを制御するステップと、を備えた排ガス処理装置の運転方法：
（ａ）前記排気口からの前記浄化ガスの噴出し速度ＶｓがＶｓ≧１．５ｕを満たす
（ｂ）前記浄化ガスが前記排気口から放出されて大気に拡散するまでの間、前記浄化ガスの相対湿度が１００％未満を満たす。
【請求項１０】
前記噴出し速度Ｖｓと、前記スクラバから排出される前記浄化ガスの温度との相関に基づいて、前記条件（ａ）を充足するために必要な前記浄化ガスの下限温度を求めるステップと、
前記浄化ガスの温度が前記下限温度以上となるように、前記再加熱ユニットにおける再加熱量を決定するステップと、
をさらに備える請求項９に記載の排ガス処理装置の運転方法。
【請求項１１】
前記排気口を通過後、前記大気への拡散中における前記浄化ガスの湿度および温度の既知の変化傾向に基づいて、前記大気への拡散中における前記浄化ガスの温度と露点との最小温度差が閾値以上となるのに必要な前記浄化ガスの下限温度を求めるステップと、
前記浄化ガスの温度が前記下限温度以上となるように、前記再加熱ユニットにおける再加熱量を決定するステップと、
をさらに備える請求項９又は１０に記載の排ガス処理装置の運転方法。
【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
複数の排気孔を含むプラス電極が上面部に形成され、空気を取り込む吸気口を有するケース本体と、
前記ケース本体の内部で前記複数の排気孔の周囲から下方向に突出し、プラスに帯電する筒状の集塵板と、
前記ケース本体の内部に設けられ、先端部が前記プラス電極に対向する複数の針状電極を有するマイナス電極と、
前記プラス電極と前記複数の針状電極との間に直流電圧を印加する直流高圧電流ユニットと、
を備え、
前記プラス電極と前記複数の針状電極との間に直流電圧を印加することにより、前記マイナス電極と前記プラス電極との間にコロナ放電を生じさせてオゾン及びイオンを発生させると共に、前記複数の排気孔に向かうマイナスイオン風を発生させる、
空気清浄装置。
【請求項２】
前記筒状の集塵板は、前記上面部に対して取外し可能に取り付けられている、
請求項１記載の空気清浄装置。
【請求項３】
前記複数の針状電極の先端部は、前記筒状の集塵板の内方に位置している、
請求項１又は請求項２記載の空気清浄装置。
【請求項４】
前記プラス電極がチタンで形成されている、
請求項１〜３のいずれか一項に記載の空気清浄装置。
【請求項５】
前記複数の排気孔は、複数のスリットにより構成されている、
請求項１〜４のいずれか一項に記載の空気清浄装置。
【請求項６】
前記複数の排気孔は、格子により形成された複数の孔である、
請求項１〜４のいずれか一項に記載の空気清浄装置。
【請求項７】
前記複数の針状電がステンレスで形成されている、
請求項１〜６のいずれか一項に記載の空気清浄装置。
【請求項８】
前記吸気口が、前記ケース本体の側面に形成されている、
請求項１〜７のいずれか一項に記載の空気清浄装置。
【請求項９】
前記直流高圧電流ユニットは、
外部電源に接続可能な外部電源接続端子と、
前記外部電源接続端子に接続され、前記外部電源からの交流電圧を直流電圧に変えるアダプターと、
前記アダプターに接続され、前記アダプターにより変えられた直流電圧を昇圧する変圧器と、
を有する、
請求項１〜８のいずれか一項に記載の空気清浄装置。